(57)【要約】【課題】  デジタル放送の録画データの再生、時間差再生の際に視聴者データが消失せず、不正な視聴者データが放送事業者に送信されないデジタル放送受信機を提供する。【解決手段】  放送電波受信状態、録画番組再生状態または時間差再生状態のいずれの状態にあるかを判断する受信制御部２と、視聴者データを保持する第１及び第２の視聴者データ保持領域４Ａ、５Ｂと、受信制御部から通知された状態が放送電波受信状態である場合には、第１の視聴者データ保持領域に保持された視聴者データを参照し、受信制御部から通知された状態が録画番組再生状態または時間差再生状態のいずれかの場合には、第２の視聴者データ保持領域に保持された視聴者データを参照するデータ放送解析部３とを備えるデジタル放送受信機。録画データに、第１の視聴者データ保持領域に保持される視聴者データも併せて録画データ蓄積部６に保存する。【選択図】  図１
2005065152.tif 000002
【特許請求の範囲】
【請求項１】
放送電波受信状態、録画番組再生状態または時間差再生状態のいずれの状態にあるかを判断する受信制御部と、
視聴者データを保持する第１及び第２の視聴者データ保持領域と、
前記受信制御部から通知された状態が放送電波受信状態である場合には、前記第１の視聴者データ保持領域に保持された視聴者データを参照し、前記受信制御部から通知された状態が録画番組再生状態または時間差再生状態のいずれかの場合には、前記第２の視聴者データ保持領域に保持された視聴者データを参照するデータ放送解析部とを備えることを特徴とするデジタル放送受信機。
【請求項２】
デジタル放送における録画データに、前記第１の視聴者データ保持領域に保持される視聴者データも併せて録画データ蓄積部に保存することを特徴とする請求項１記載のデジタル放送受信機。
【請求項３】
前記受信制御部から通知された状態が録画番組再生状態である場合には、前記データ放送解析部は、前記第１の視聴者データ保持領域に保持されている視聴者データを参照せずに、前記録画データ蓄積部に録画データとともに保存されている視聴者データを前記第２の視聴者データ保持領域に保持し、該第２の視聴者データ保持領域を参照することを特徴とする請求項２記載のデジタル放送受信機。
【請求項４】
前記録画データの再生が終了した際、前記データ放送解析部は、前記第２の視聴者データ保持領域に保持された視聴者データを削除することを特徴とする請求項３記載のデジタル放送受信機。
【請求項５】
前記受信制御部から通知された状態が時間差再生状態である場合には、前記データ放送解析部は、前記第１の視聴者データ保持領域に保持されている視聴者データを参照せずに、前記録画データ蓄積部に録画データとともに保存されている視聴者データを前記第２の視聴者データ保持領域に保持し、該第２の視聴者データ保持領域を参照することを特徴とする請求項２記載のデジタル放送受信機。
【請求項６】
前記受信制御部から通知された状態が録画番組再生状態である場合には、前記データ放送解析部は、該デジタル放送受信機の通信機能を遮断することを特徴とする請求項１乃至５のいずれかに記載のデジタル放送受信機。
【請求項７】
前記受信制御部から通知された状態が時間差再生状態である場合には、前記データ放送解析部は、該デジタル放送受信機の通信機能を遮断することを特徴とする請求項１乃至５のいずれかに記載のデジタル放送受信機。
【請求項８】
前記受信制御部から通知された状態が録画番組再生状態から放送電波受信状態へ遷移する場合には、前記データ放送解析部は、該デジタル放送受信機の通信機能を復帰させることを特徴とする請求項６記載のデジタル放送受信機。
【請求項９】
前記受信制御部から通知された状態が時間差再生状態から放送電波受信状態へ遷移する場合には、前記データ放送解析部は、該デジタル放送受信機の通信機能を復帰させることを特徴とする請求項７記載のデジタル放送受信機。
【請求項１０】
前記受信制御部から通知された状態が録画番組再生状態である場合には、前記データ放送解析部は、前記録画データ蓄積部に録画データとともに保存されている視聴者データを変更しないことを特徴とする請求項３記載のデジタル放送受信機。
【発明の詳細な説明】
【技術分野】
【０００１】
本発明は、デジタル放送受信機に関し、特に、ＢＳデジタル放送、広帯域ＣＳデジタル放送、地上デジタルテレビ放送、地上デジタルラジオ放送等（以下、「デジタル放送」という）において放送されているデータ放送付加番組、独立データ放送等（以下、「データ放送」という）に用いられるデジタル放送受信機に関する。
【背景技術】
【０００２】
従来のＢＳ／広帯域ＣＳデジタル放送基本受信機のレファレンスモデルが、非特許文献１に掲載されている。この文献の第３−６頁の４．１．２受信機レファレンスモデルでは、受信した電波を映像データ、音声データ、マルチメディアコンテンツデータ、字幕データ、文字スーパーデータへと分離し、マルチメディアコンテンツデータを提示するための構成図が記載されている。さらに、地上デジタルテレビジョン放送の受信機レファレンスモデルが、非特許文献２に掲載されている。
【０００３】
また、電源を切っても記憶内容を保持することができる半導体メモリ（不揮発性メモリ）の使用方法に関する規定が、非特許文献３及び４に掲載されている。データ放送で、受信機の利用者毎の情報及び事業者別の固有情報を格納するための不揮発性メモリ領域をＮＶＲＡＭという。
【０００４】
【非特許文献１】社団法人電波産業界、「ＡＲＩＢ  ＴＲ−Ｂ１５  ２．２版（第一分冊）」、ＢＳ／広帯域ＣＳデジタル放送運用規定、４．１．２受信機レファレンスモデル、第３−６頁
【非特許文献２】社団法人電波産業界、「ＡＲＩＢ  ＴＲ−Ｂ１４  １．３版（第一分冊）」、地上デジタルテレビジョン放送運用規定、１．１．２受信機レファレンスモデル、第３−１０頁
【非特許文献３】社団法人電波産業界、「ＡＲＩＢ  ＴＲ−Ｂ１５  ２．２版（第一分冊）」、ＢＳ／広帯域ＣＳデジタル放送運用規定、４．５．２ＮＶＲＡＭ、第３−２３頁
【非特許文献４】社団法人電波産業界、「ＡＲＩＢ  ＴＲ−Ｂ１４  １．３版（第一分冊）」、地上デジタルテレビジョン放送運用規定、、１．４．２ＮＶＲＡＭ、第３−２２頁
【発明の開示】
【発明が解決しようとする課題】
【０００５】
しかし、上述した従来のシステムでは、データ放送番組を録画し、録画した番組を再生したり、時間差再生（タイムシフト）する際に、以下のような問題があった。
【０００６】
第１に、視聴者の氏名、住所、電話番号、視聴者が獲得したゲームのポイント等（以下、「視聴者データ」という）を格納する領域（ＮＶＲＡＭ）が受信機に１つしか存在せず、視聴者データの書き込みを行うデータ放送の録画データを再生する度、または時間差再生を行う度に、視聴者データが上書きされるため、録画番組の再生を終了し、放送電波受信状態へ遷移する際に、録画番組再生開始前に格納されていた放送電波受信状態にて参照される視聴者データが消失する。このため、デジタルデータ放送を録画し、後に繰り返して再生を行う際、視聴者データが消失するという問題があった。
【０００７】
第２の問題点は、デジタルデータ放送の録画番組を再生する際、または時間差再生を行う際、不正な視聴者データが放送事業者に送信されることである。その理由は、例えば、すべての問題の回答を終えた後、正解数を放送事業者へ送信するようなクイズ番組が放送された場合には、番組を録画している状態でクイズの正解を確認した後、録画番組を再生し、または時間差再生を行い、クイズに回答して成績を放送事業者へ送信するような不正行為が可能になるためである。
【０００８】
第３に、視聴者データを放送事業者に送信するデータ放送を録画した番組を再生したり、時間差再生を行う際、番組が終了した後でも、放送局へ視聴者データを送信することができるため、デジタル放送で録画した番組を再生したり、時間差再生を行う際、放送事業者の意図しない日時に視聴者データが放送事業者に送信されるという問題があった。
【０００９】
そこで、本発明は、上記従来の技術における問題点に鑑みてなされたものであって、デジタルデータ放送を録画し、後に繰り返して再生したり、時間差再生を行っても、視聴者データが消失することがなく、不正な視聴者データが放送事業者に送信されることもなく、放送事業者の意図しない日時に視聴者データが放送事業者に送信されることもないデジタル放送受信機を提供することを目的とする。
【課題を解決するための手段】
【００１０】
上記目的を達成するため、本発明は、デジタル放送受信機であって、放送電波受信状態、録画番組再生状態または時間差再生状態のいずれの状態にあるかを判断する受信制御部と、視聴者データを保持する第１及び第２の視聴者データ保持領域と、前記受信制御部から通知された状態が放送電波受信状態である場合には、前記第１の視聴者データ保持領域に保持された視聴者データを参照し、前記受信制御部から通知された状態が録画番組再生状態または時間差再生状態のいずれかの場合には、前記第２の視聴者データ保持領域に保持された視聴者データを参照するデータ放送解析部とを備えることを特徴とする。ここで、視聴者データとは、視聴者の氏名、住所、電話番号、視聴者が獲得したゲームのポイント等、デジタルデータ放送の視聴者に関連するデータをいう。
【００１１】
そして、本発明によれば、放送電波受信状態と、録画番組再生状態または時間差再生状態とで、視聴者データの参照先を変更するため、繰り返して再生したり、時間差再生を行っても、視聴者データが消失することがなく、また、繰り返し再生によるポイントの荒稼ぎのような不正行為を防止することもできる。
【００１２】
上記デジタル放送受信機において、デジタル放送における録画データに、前記第１の視聴者データ保持領域に保持される視聴者データも併せて録画データ蓄積部に保存するようにすることができ、前記受信制御部から通知された状態が録画番組再生状態である場合には、前記データ放送解析部は、前記第１の視聴者データ保持領域に保持されている視聴者データを参照せずに、前記録画データ蓄積部に録画データとともに保存されている視聴者データを前記第２の視聴者データ保持領域に保持し、該第２の視聴者データ保持領域を参照するように構成することができる。
【００１３】
また、前記録画データの再生が終了した際、前記データ放送解析部は、前記第２の視聴者データ保持領域に保持された視聴者データを削除するようにしてもよい。
【００１４】
さらに、前記受信制御部から通知された状態が時間差再生状態である場合には、前記データ放送解析部は、前記第１の視聴者データ保持領域に保持されている視聴者データを参照せずに、前記録画データ蓄積部に録画データとともに保存されている視聴者データを前記第２の視聴者データ保持領域に保持し、該第２の視聴者データ保持領域を参照するように構成することができる。
【００１５】
上記デジタル放送受信機において、前記受信制御部から通知された状態が録画番組再生状態である場合には、前記データ放送解析部は、該デジタル放送受信機の通信機能を遮断するようにしてもよい。また、前記受信制御部から通知された状態が時間差再生状態である場合には、前記データ放送解析部は、該デジタル放送受信機の通信機能を遮断するようにしてもよい。これによって、不正な視聴者データが放送事業者に送信されることを防止することができるとともに、放送事業者の意図しない日時に視聴者データが放送事業者に送信されることを防止することもできる。
【００１６】
前記受信制御部から通知された状態が録画番組再生状態から放送電波受信状態へ遷移する場合には、前記データ放送解析部は、該デジタル放送受信機の通信機能を復帰させるようにしてもよい。また、前記受信制御部から通知された状態が時間差再生状態から放送電波受信状態へ遷移する場合には、前記データ放送解析部は、該デジタル放送受信機の通信機能を復帰させるようにしてもよい。
【００１７】
前記受信制御部から通知された状態が録画番組再生状態である場合には、前記データ放送解析部は、前記録画データ蓄積部に録画データとともに保存されている視聴者データを変更しないようにすることができる。これによって、録画番組再生時等においても、放送電波受信時同様、視聴者は録画した時の状態を再現することが可能になり、録画番組を再生する度に同一の状態から再生を開始することができる。
【発明の効果】
【００１８】
以上説明したように、本発明にかかるデジタル放送受信機によれば、デジタルデータ放送を録画し、後に繰り返して再生したり、時間差再生を行っても、視聴者データが消失せず、不正な視聴者データが放送事業者に送信されず、放送事業者の意図しない日時に視聴者データが放送事業者に送信されることもない。
【発明を実施するための最良の形態】
【００１９】
図１は、本発明にかかるデジタル放送受信機の一実施の形態を示し、このデジタル放送受信機は、専用の受信ボード１を実装したＰＣ（パーソナルコンピュータ）であり、受信ボード１より受信した放送データは、受信制御部２及びデータ放送解析部３で処理された後、映像（データ放送）表示部７にて視聴者へ提示される。尚、データ放送解析部３における処理を必要としないデータに関しては、受信制御部２から直接、映像（データ放送）表示部７へデータが送られる。
【００２０】
映像（データ放送）表示部７は、受信制御部２、及び必要があればデータ放送解析部３で処理されたデータを視聴者に提示するための機能を備え、通常は、ＰＣディスプレイやＴＶ画面等である。
【００２１】
通信部８は、データ放送解析部３で、視聴者データを放送局へ送信する必要があると判断された場合に、電話回線、インターネット回線等を利用して視聴者データを送信するための装置である。
【００２２】
録画データ蓄積部６は、視聴者が録画したデータを蓄積する機能を備え、複数の録画データを格納することが可能である。
【００２３】
視聴者データ保持領域Ａ４は、視聴者に提示される番組において、視聴者データを格納するための領域である。デジタル放送においては、ＮＶＲＡＭ、ＧＲＥＧ、ＵＲＥＧがこれに相当し、受信機が必ず保持しなければならない。本領域へは、データ放送解析部３からの要求により読み書きが行われる。
【００２４】
視聴者データ保持領域Ｂ５は、本発明の特徴部分であり、録画番組再生時や、時間差再生を行う際に、視聴者データ保持領域Ａ４を保護するため、視聴者データ保持領域Ａ４の代わりに参照される領域である。
【００２５】
視聴者データ保持領域Ａ４と視聴者データ保持領域Ｂ５とは、データの不正利用を防ぐために暗号化を施す。ＰＣ受信機上で運用する場合には、下記のような機能を持たせることにより、データの改竄及び流出を防ぐ。
【００２６】
（１）視聴者データ保持領域Ａ４と視聴者データ保持領域Ｂ５の最終更新日時が変更されているか検出する機能
（２）視聴者データ保持領域Ａ４と視聴者データ保持領域Ｂ５のデータを他のＰＣ受信機で使用できないように、記録を行ったＰＣでのみ使用できるようにする機能
（３）視聴者データ保持領域Ａ４と視聴者データ保持領域Ｂ５へのアクセスを行うプログラムについては、リバースエンジニアリング（逆アセンブル）を行えないようにする機能
（４）視聴者データ保持領域Ａ４と視聴者データ保持領域Ｂ５へのアクセスを行う際、プログラム実行動作の追跡が行われないようにする機能
【００２７】
ＰＣシステム上に上記の機能を持たせ、データの改竄を検出した場合には、視聴者データ保持領域Ａ４からの読み出しは行わず、視聴者データ保持領域Ａ４に格納されているデータをリセットする。このため、視聴者データの不正利用、及びデータの流出を防止する効果がある。
【００２８】
図２は、本発明にかかるデジタル放送受信機において、１つの録画番組が保持するデータの構成を示す。ここでは、放送データ（ＢＳデジタル放送、広帯域ＣＳデジタル放送、地上デジタルテレビ放送、地上デジタルラジオ放送においては、映像、音声、データ、字幕、文字スーパー等に相当する）格納領域とともに、録画を行った番組の情報、及び録画を開始した時点の視聴者データ（ＮＶＲＡＭ、ＧＲＥＧ、ＵＲＥＧ等）の状態を録画データ蓄積部６に保存する。そして、録画再生時に、この録画データ蓄積部６に格納されている視聴者データへアクセスし、視聴者が意識することなく、録画時の状態を再現することを可能にする。
【００２９】
また、録画番組を再生する際に、録画データ蓄積部６には視聴者データが格納されているため、改竄やデータを抜き取られることがあってはならない。そのため、不正使用者からデータを保護しなければならない。そこで、本領域を暗号化しておくことにより、データの改竄、流出を防止する。
【００３０】
次に、図３を参照しながら、番組録画開始時における処理の流れについて説明する。
【００３１】
視聴者の指示により（視聴者が録画予約したものも含む）、録画開始要求がなされると（ステップＡ１）、録画が開始された時点の録画番組の情報及び視聴者データ保持領域Ａ４に格納されているデータを録画データ蓄積部６に保存する（ステップＡ２、Ａ３）。この際、録画を行う番組からアクセスすることのできないデータ領域が存在する場合には、保存対象とせず、必要なデータのみを保存することにより、保存容量の削減を行うことができる。
【００３２】
この保存処理を行うことにより、録画番組の再生を行うときに、録画時の環境を再構築することを可能にする。録画番組情報及び視聴者データの保存が終わると、番組コンテンツを保存し（ステップＡ４）、録画終了時に保存データを暗号化する（ステップＡ５）。
【００３３】
図４は、録画番組再生時における本発明にかかるデジタル放送受信機の機能ブロック図である。録画番組再生開始時に、データ放送解析部３は、録画データ蓄積部６に格納されている視聴者データを復号し、視聴者データ保持領域Ｂ５へ格納する。録画データ蓄積部６に格納されていた放送データは、受信ボード１へ送られる。放送データが受信ボード１に送られている間（録画番組再生中）は、視聴者データ保持領域Ａ４に格納されている視聴者データへのアクセスを行わない。すなわち、録画番組再生中にデータコンテンツから視聴者データへのアクセス要求が発生した場合には、データ放送解析部３は、視聴者データ保持領域Ｂ５に格納されているデータに対してのみ行う。
【００３４】
これによって、録画番組再生中に通常受信状態（放送電波を受信している状態）に参照される視聴者データについて、保持領域Ａ４の状態を保持することが可能になる。また、停電等が発生した場合でも、視聴者データ保持領域Ａ４に格納されているデータを保護することも可能となる。この時、通信部８に関しては、不正データを放送局に送信しないようにデータ放送解析部３により遮断される。データ放送解析部３は、通信要求を受けても、実際に通信部８への要求を行わず、データ放送解析部３がエラーとして処理を行うことにより通信部８の遮断を実現する。
【００３５】
図５は、上記録画番組再生時における処理の流れを示す。視聴者の指示により録画データの再生が開始されると（ステップＢ１）、データ放送解析部３は、録画時に保存しておいた視聴者データを復号し（ステップＢ２）、視聴者データ保持領域Ｂ５へ復元する（ステップＢ３）。図３のステップＡ５のように、これらのデータは、録画処理を行う際、暗号化を施してあるので、視聴者に映像（データ放送）表示部を使用して提示する際には、暗号化された放送データを復号する必要がある。
【００３６】
録画番組再生中は、データ放送解析部３により、復元した視聴者データに対してアクセスを行うように制御され、オリジナルの視聴者データ（視聴者データ保持領域Ａ４に格納されているデータを指す）には一切アクセスを行わない（ステップＢ４）。
【００３７】
これによって、番組録画開始時の視聴者環境が再現される。併せて、録画再生時、時間差再生時におけるデータ変更は、データ放送解析部３により、視聴者データ保持領域Ｂ５に対してのみ行うよう制御されるため、視聴者データ保持領域Ａ４に反映されることはない。
【００３８】
また、重複送信を禁止している放送コンテンツや、放送局側の意図しないタイミングでデータの送信を行わないようにするための処置として、録画番組の再生を行うときは、データ放送解析部３により、放送局へデータを送信できないように通信部８を遮断する（ステップＢ５）。データ放送解析部３は、通信要求を受けても、実際に通信部８への要求を行わず、データ放送解析部３がエラーとして処理を行うことにより通信部８の遮断を実現する。
【００３９】
図６は、録画番組再生終了時の動作を示す流れ図である。視聴者の操作により、録画番組の再生が終了すると（ステップＣ１）、データ放送解析部３は、視聴者データ保持領域Ｂ５に格納されている視聴者データを破棄する（ステップＣ２）。以後の視聴者データの参照は、視聴者データ保持領域Ａ４から行う（ステップＣ３）。併せて、データ放送解析部３は、無効化してあった通信機能８を有効にすることにより（ステップＣ４）、通常状態（放送電波を受信して視聴する状態）に復帰し（ステップＣ５）、図１の構成へ戻る。データ放送解析部３は、通信要求を受けた時、通信部８へ通信要求を行うようにすれば遮
断された通信機能の復帰が実現される。
【００４０】
図７は、時間差再生時における本発明にかかるデジタル放送受信機の機能ブロック図である。時間差再生開始時に、視聴者データ保持領域Ａ４に格納されていた視聴者データを、視聴者データ保持領域Ｂ５へコピーする。データ放送解析部３は、視聴者データ保持領域Ａ４に格納されている視聴者データについて、時間差再生終了時までアクセスを行わない。データ放送解析部３は、時間差再生中、データコンテンツからのアクセス要求に対しては、視聴者データ保持領域Ｂ５に対してのみ行う。
【００４１】
これによって、時間差再生中、視聴者データ保持領域Ａ４に格納されている視聴者データの状態を保持することが可能になる。また、停電等が発生した場合でも、視聴者データ保持領域Ａ４に格納されている視聴者データを保護することも可能となる。この時、通信部８に関しては、不正データを放送局に送信しないように、データ放送解析部３により遮断している。データ放送解析部３は、通信要求を受けても、実際に通信部８への要求を行わず、データ放送解析部３がエラーとして処理を行うことにより通信部８の遮断を実現する。
【００４２】
図８は、時間差再生開始時における処理の流れ図を示す。視聴者の指示（もしくは、予約等の自動化処理）により、時間差再生が開始されると（ステップＤ１）、データ放送解析部３は、視聴者データ保持領域Ａ４に格納されているデータを、視聴者データ保持領域Ｂ５にコピーする（ステップＤ２）。以降、時間差再生中、データ放送解析部３は、視聴者データを参照する際、視聴者データ保持領域Ｂ５に対してのみ行う（ステップＤ３）。
【００４３】
これによって、視聴者データの不正改竄（時間差再生機能の巻き戻し機能を使用し、クイズに正解するとポイントを取得できるような番組で、正解を確認した後、クイズに答え、ポイントを獲得する等）を防止することが可能である。録画番組再生時と同様、データ放送解析部３は、放送局への通信を遮断し（ステップＤ４）、放送局への不正データの送信を防止する。データ放送解析部３は、通信要求を受けても、実際に通信部８への要求を行わず、データ放送解析部３がエラーとして処理を行うことにより通信部８の遮断を実現する。
【００４４】
図９は、時間差再生終了時における処理の流れ図を示す。視聴者の指示（もしくは、予約等の自動化処理）により時間差再生が終了すると（ステップＥ１）、視聴者データ保持領域Ｂ５に格納されている視聴者データを破棄し（ステップＥ２）、データ放送解析部３からの要求により、視聴者データ参照先を視聴者データ保持領域Ｂ５から、視聴者データ保持領域Ａ４へ戻す（ステップＥ３）。時間差再生開始時に遮断した、通信部８の有する通信機能をデータ放送解析部３が復帰させ（ステップＥ４）、放送電波受信状態となり、図１の構成に戻る（ステップＥ４、Ｅ５）。データ放送解析部３は、通信要求を受けた時、実際に通信部８への通信要求を行うようにすれば遮断された通信機能の復帰が実現される。
【００４５】
上記構成により、いかなる場合（通常状態、録画番組再生中、時間差再生中等の状態を問わず）においても視聴者データを安全に保持し、不正な運用をされないように防御することができ、受信機として必須要件を遵守しつつ、それに留まらず、データ放送コンテンツをいつでも視聴したいユーザの要望も満たすことが可能となる。
【００４６】
尚、上記実施の形態では、２つの視聴者データ保持領域を装備する場合について説明したが、３つ以上の視聴者データ保持領域を装備するようにしてもよく、デジタル放送受信機であれば、ＰＣにインストールされたものでなくとも、本発明を適用することができる。
【図面の簡単な説明】
【００４７】
【図１】本発明にかかるデジタル放送受信機の一実施形態を示す機能ブロック図である。
【図２】本発明にかかるデジタル放送受信機で一番組を録画したときのデータの構成（広帯域ＣＳデジタル放送の場合）である。
【図３】本発明にかかるデジタル放送受信機の録画開始時の動作を示す流れ図である。
【図４】本発明にかかるデジタル放送受信機の録画番組再生開始時の機能ブロック図である。
【図５】本発明にかかるデジタル放送受信機の録画番組再生時の動作を示す流れ図である。
【図６】本発明にかかるデジタル放送受信機の録画番組再生終了時の動作を示す流れ図である。
【図７】本発明にかかるデジタル放送受信機の時間差再生開始時の動作の機能ブロック図である。
【図８】本発明にかかるデジタル放送受信機の時間差再生時の動作を示す流れ図である。
【図９】本発明にかかるデジタル放送受信機の時間差再生終了時の動作を示す流れ図である。
【符号の説明】
【００４８】
１    受信ボード
２    受信制御部
３    データ放送解析部
４    視聴者データ保持領域Ａ
５    視聴者データ保持領域Ｂ
６    録画データ蓄積部
７    映像（データ放送）表示部
８    通信部
【図１】
2005065152.tif 000003
【図２】
2005065152.tif 000004
【図３】
2005065152.tif 000005
【図４】
2005065152.tif 000006
【図５】
2005065152.tif 000007
【図６】
2005065152.tif 000008
【図７】
2005065152.tif 000009
【図８】
2005065152.tif 000010
【図９】
2005065152.tif 000011